(57)【要約】【課題】集熱器の反射鏡を常に太陽に正向させて集熱量を最大として、住宅の屋根材として設置できるようにして、太陽光から熱媒体の加熱のために必要な熱量を効率良く回収することを目的とする。【解決手段】回転軸に垂直となる面に複数個設けた受光量センサ５、６を、この受光面の方向を傾斜して構成し、太陽の方向により受光量センサ５、６の出力値が変り、集熱器の方向と太陽の方向が判別して集熱器を太陽に向かって正向できるため集熱量を最大とし、太陽熱集熱器の効率を向上を可能とし、太陽熱集熱器のコンパクト化や簡素化を図ることができる。【選択図】図１
2008138899.tif 000002
【特許請求の範囲】
【請求項１】
太陽熱を集熱する反射鏡と、この反射鏡に設けた集熱部と、この集熱部を回転の中心としその周囲を前記反射鏡が回転できるように支持した回転駆動部と、この回転駆動部の回転軸に垂直となる面に複数個設けた受光量センサとを具備し、前記受光量センサは受熱面の方向を異ならせて構成した太陽熱集熱器。
【請求項２】
複数個設けた受光量センサの出力を比較する演算部を設け、この演算部は反射鏡の光軸と太陽の方向が一致した時の前記受光量センサの出力値と比較してこの値が等しくなる様に前記回転駆動部を回転するようにした請求項１に記載の太陽熱集熱器。
【請求項３】
反射鏡は、樋型の放物線からなる二次曲面とし、複数の受光量センサの受光面の方向はこの放物線の軸に対して等角度に傾斜して構成した請求項１記載の太陽熱集熱器。
【請求項４】
演算部により回転駆動部を回転した動作角度を記憶し、かつ時間当たりの前記動作角度を計算する記憶制御部を儲け、この記憶制御部の時間当たりの前記動作角度値により予め順次回転駆動部を回転させながら前記受光量センサの出力値が等しくなる様に前記回転駆動部の回転を補正する請求項２記載の太陽熱集熱器。
【請求項５】
複数の反射鏡を設けると共に、集熱部は内部に熱媒体を流通させるために一体の集熱管を複数個の反射鏡内に連通させて配置した請求項１記載の太陽熱集熱器。
【請求項６】
集熱部は、表面に赤外線を吸収する選択吸収膜を装着した請求項１記載の太陽熱集熱器。
【請求項７】
反射鏡と集熱部を外装内に配置し、前記外装内部に熱伝導率の小さいガスを注入して、密封した請求項１記載の太陽熱集熱器。
【発明の詳細な説明】
【技術分野】
【０００１】
本発明は、太陽熱を集熱して高温熱媒体として取り出すようにした太陽熱集熱器に関するものである。
【背景技術】
【０００２】
従来のこの種の太陽熱集熱器は図３に示すように、断面を複合放物面（ＣＰＣ）とした桶型の細長い集光反射鏡１０１の焦点に集熱管１０２を配置して集熱部３としたものをを複数個並べて構成し、それぞれの集熱管２を熱媒体配管４で接続して、熱媒体入口５から熱媒体出口６までを１つにつないだ管路を形成している。
【０００３】
また、集光反射鏡１の開口側を光透過体１０４で、その他の部分をケーシング１０５で覆って密閉空間とし、外部の空気が集熱管２と接することがないようになっている。
【０００４】
太陽熱は、光透過体１０４を通り抜けて、集光反射鏡１０１で反射され、その焦点に配置された集熱管２に集められる。集められた太陽熱は集熱管１０２の表面において吸収されてその中の熱媒体を加熱する。
【０００５】
つまり、熱媒体入口１０６から集熱管１０２に流動する熱媒体が加熱されて熱媒体出口１０７から取り出せる。この時、集熱管１０２は高温となっているため、その周囲にある気体へ熱が放熱されるが、光透過体１０４とケーシング１０５によって内部が密閉されていることで対流による外部への放熱を抑制している。
【０００６】
また、光透過体１０４によって太陽光のほとんどを透過しながら、高温となった集熱管１０２から放射される赤外波長のほとんどを外部へと透過させないことによって外部への熱放射を抑制している。
【０００７】
このようにして、太陽熱をうまく取り込みつつ、変換された熱の外部への放熱ロスを抑制することで効率の良い太陽熱集熱器としている（例えば特許文献１参照）。
【０００８】
また、太陽熱を効率的に集光するためには、集光反射鏡が常に太陽に正しく向き合うことが必要である。
【０００９】
このため、従来の太陽光自動追尾装置として、図４に示すように、太陽光をフレネルレンズで集光し、この集光部に光ファイバー１０８を設けて使用する所まで導くようにしている。この光ファイバー１０８の集光部近傍に光量を検知する上昇用微調整センサ１０９と下降微調整センサ１１０が設けてある。
【００１０】
太陽の移動に従って、集光した太陽光が焦点の光ファイバー１０８から外れ、上昇用微調整センサ１０９または下降微調整センサ１１０に当ると微調整回路を作動させて集光場所を調整し、上昇用微調整センサ１０９の出力と下降微調整センサ１１０の出力の差を無くす様に動き、太陽光を常に集光場所を光ファイバー１０８に集光できるとしている（例えば特許文献２参照）。
【特許文献１】特開２００２−２２８２７１号公報
【特許文献２】特開平９−２２９６６９号公報
【発明の開示】
【発明が解決しようとする課題】
【００１１】
しかしながら、前記従来技術では、太陽光を集光反射鏡にて集熱管に集めて熱媒体を流しながら加熱をおこなうため、高温としながら効率的に熱を集めて利用できるが、太陽の移動に従って、太陽熱を効率的に集光するためには、集光反射鏡が常に太陽に正しく向き合うことが必須である。
【００１２】
このため、集光部近傍に光量を検知する微調整センサを設けて、集光した太陽光が焦点からズレて微調整センサに当ると、都度、移動させて調整することにより、太陽の入射方向に合せることができる。
【００１３】
しかし、しばらく曇っていた後など、太陽の方向とフリンネルレンズの光軸の方向が大きく違った時は追尾することができない。
【００１４】
また、集光部を上下させて微調整センサの出力変化から太陽の方向を探すため、常に追尾するためには、集光部を常に上下させる必要があり、これを防止するために、従来では２個の微調整センサを設けて太陽の方向がこの間を移動する間は停止している。よって、常に、集光の方向と太陽の方向を一致できず、集熱量が減少し、太陽熱集熱器としての効率が悪くなるという課題があった。
【００１５】
本発明は、上記従来の課題を解決するもので、受光量センサ出力から反射鏡と太陽の位置方向が常に判別できる太陽熱集熱器の提供を目的とする。
【課題を解決するための手段】
【００１６】
前記従来の課題を解決するために、本発明の太陽熱集熱器は、太陽光を集光する反射鏡と、この反射鏡に設けた集熱部と、この集熱部を回転の中心としその周囲を前記反射鏡が回転できるように支持した回転駆動部と、この回転駆動部の回転軸に垂直となる面に複数個設けた受光量センサと、前記受光量センサは受光面の方向を傾斜して構成するものである。
【発明の効果】
【００１７】
本発明の太陽熱集熱器は、回転軸に垂直となる面に複数個設けた受光量センサを、受光面の方向を広がっているため、太陽の方向によりおのおのの受光量センサの出力値が変るため、集熱器の方向と太陽の方向が判別でき、回転軸を回すことにより、集熱器を太陽に向かって正向できるため集熱量を最大とし、太陽熱集熱器の効率を向上を可能とし、太陽熱集熱器のコンパクト化や簡素化を図ることができる。
【発明を実施するための最良の形態】
【００１８】
第１の発明は、太陽光を集光する反射鏡と、この反射鏡に設けた集熱部と、この集熱部を回転の中心としその周囲を前記反射鏡が回転できるように支持した回転駆動部と、この回転駆動部の回転軸に垂直となる面に複数個設けた受光量センサとを具備し、前記受光量センサは受光面の方向を傾斜して構成したことにより、太陽の方向によりおのおのの受光量センサの出力値が変ることにより、集熱器の方向と太陽の方向が判別でき、回転軸を回すことにより、集熱器を太陽に向かって正向できるため集熱量を最大とし、太陽熱集熱器の効率を向上を可能とできる。
【００１９】
すなわち、太陽光は反射鏡により一回または複数回反射して集熱部の表面において吸収されて熱エネルギーに変換され、熱媒体配管の熱媒体を加熱し熱媒体の温度を上昇させる。この熱エネルギーは、反射鏡に入る太陽光の量により増減するため、反射鏡を常に太陽に正向させることが最大熱量をえるポイントである。太陽は、季節と時間によりその高度、方向が変化する。
【００２０】
そこで、受光センサを回転軸に垂直となる面に複数個設け、かつ、受光面の方向を広がって設置することにより、回転軸に直角となる面上で、太陽の方向と反射鏡の方向が判別できる。受光量センサの出力と太陽の方向のズレに応じて変化し、太陽の方向と受光面の方向が一致した時受光量センサの出力が最大となる。
【００２１】
そのため、反射鏡の光軸に対して広がって設置された複数個の受光量センサの出力値の大小変化から、反射鏡に対して太陽の方向が特定できる。このため、反射鏡を常に太陽に向ける動作が可能となり、集熱器を太陽に向かって正向できるため集熱量を最大とし、太陽熱集熱器の効率を向上を可能となる。
【００２２】
また、集光量が増加し熱媒体をより多く加熱することは熱媒体の温度を高くして熱媒体の出口温度を上昇させることが可能となる。そのため、向上した性能を利用して太陽熱集熱器のコンパクト化や簡素化を可能とできる。
【００２３】
第２の発明は、特に、第１の発明の複数個設けた受光量センサの出力を比較する演算部は、反射鏡の光軸と太陽の方向が一致した時の前記受光量センサの出力値と比較してこの値が等しくなる様に前記回転駆動部を回転する構成したことにより、おのおのの受光量センサの出力の大小の値を比較することにより、正確に太陽の方向が確定できる。
【００２４】
すなわち、反射鏡の光軸に対して受光量センサは受光面の方向を広がって構成したことにより、反射鏡の光軸と太陽の方向が一致した時、受光量センサの受光面は太陽の方向と傾いて置かれている。そのため、各受光量センサの出力はその傾きに応じた大きさとなる。このため、受光センサと太陽の位置関係が固定され、太陽と反射鏡の位置関係が判る。この変化に応じて回転駆動部を回転することにより、逐次反射鏡を太陽に向かわせることが可能となる。
【００２５】
第３の発明は、特に、第１の発明の反射鏡は、樋型の放物線からなる二次曲面とし、複数の受光量センサの受光面の方向はこの放物線の軸に対して等角度に傾斜して構成したことにより、一方向の動作で確実に反射鏡と太陽の方向を一致できる。
【００２６】
すなわち、反射鏡を樋型の放物線からなる二次曲面とすることにより、太陽が放物線の軸に対して直角の方向である樋の方向に傾いて入った場合は反射鏡を斜めに屈折しながら集熱部に至る。
【００２７】
そのため、太陽の方向と放物線の軸を合せることにより太陽と反射鏡は正向でき、追尾機構が簡単となる。さらに、受光量センサの受光面の方向はこの放物線の軸に対して等角度に広がって構成したことにより、反射鏡と複数の受光量センサは、太陽の方向に当間隔に位置する。
【００２８】
受光量センサの出力は太陽の方向との傾きにより増減するから、複数の受光量センサの出力が同じ時は、放物線の軸と太陽の方向が一致したときである。
【００２９】
このように、太陽と反射鏡の位置関係が常に判り、回転駆動部を回転することにより、常に反射鏡を太陽に向かわせることが可能となる。
【００３０】
第４の発明は、特に、第１の発明の演算部により、回転駆動部を回転した動作角度を記憶しかつ時間当たりの前記動作角度を計算する記憶制御部と、前記記憶制御部は、この時間当たりの前記動作角度値により予め順次回転駆動部を回転させながら、前記受光量センサの出力値が等しくなる様に前記回転駆動部の回転を補正することにより、太陽の方向を逐次追尾しながら、回転駆動部の回転動力を低減できる。
【００３１】
すなわち、一日の太陽の動きは、およそ決まった速度で動くから、太陽が動いたことによる変化を演算部によって回転駆動部を回転した動作角度を記憶し、時間当たりの変化から次のおよその動作量を推定して制御できるため、受光量センサの出力値から微調整を行うだけで、確実に太陽に反射鏡を合せることができる。
【００３２】
このため、回転駆動部の回転動作が減少し、追尾動作の信頼性向上と追尾動力を低減できる。
【００３３】
第５の発明は、特に、第１の発明の複数の反射鏡を設けると共に、集熱部は、内部に熱媒体を流通させるために一体の集熱管を複数個の反射鏡内に連通させて配置したことにより、熱媒体がそれぞれの反射鏡を通過しながら集中する太陽光で加熱されので、熱媒体の温度を高温に維持しながら所定の熱量を得ることができる。
【００３４】
第６の発明は、特に、第１の発明の集熱部は、表面に赤外線を吸収する選択吸収膜を装着したことにより、集熱部からの赤外線放射を防止して集熱部の温度を高温に維持して、熱媒体にその熱を効率良く伝えることができる。
【００３５】
第７の発明は、特に、第１の発明の外装は、内部に熱伝導率の小さいガスを注入し、密封したことにより、外装内における空気の対流熱伝達による放熱を大幅に小さくして、外装からの放熱を低減させ集熱効率を向上することができる。
【００３６】
（実施の形態１）
図１、図２において、１は太陽熱を集熱する反射鏡で、その形状は、断面が放物線からなる二次曲面の形状に形成して太陽熱を集熱部２に集束させるとともに、縦方向は樋型に構成している。すなわち、この樋型の反射鏡１を方位方向（東西方向）に伸ばして一つの反射鏡ユニットを構成している。
【００３７】
反射鏡１の反射面３は太陽熱の反射率を向上させるために鏡面に仕上げている。反射面３の鏡面仕上げは、反射鏡１を構成する材料によりめっき、蒸着、研磨、塗装等の方法で反射層を形成する。
【００３８】
反射鏡１の加工は耐熱性の樹脂（例えば、フェノール樹脂、フッ素樹脂、ポリイミド樹脂等）の成型、ステンレスのプレス加工、アルミダイカスト成型等の方法がある。
【００３９】
またアルミの鏡面仕上げ板を折り曲げる方法もある。例えば、反射鏡１を耐熱樹脂で成型した時は、鏡面をアルミめっき（蒸着）や塗装で仕上げて反射面３を形成する。特に、鏡面をアルミめっきする時は、ポリイミド樹脂やポリフェニレンサルファイド樹脂またはポリステル樹脂、ポリアミド樹脂等を使用する。
【００４０】
ステンレスをプレス加工したときは、アルミ電解研磨やバフ研磨等で鏡面を形成することもある。アルミダイカストの成型でもめっき等により鏡面仕上げを行い、アルミダイカスト材料の研磨後の酸化皮膜による反射率の低下を防止することもある。
【００４１】
集熱部２は反射鏡１の放物面の焦点に配置されており、管（銅管やステンレス管や黄銅管やアルミ管等）で構成されている。
【００４２】
放物面の反射鏡１は、一方向の太陽光しか焦点を結ばないので、集熱部２に太陽熱を集中させるためには、樋型の反射鏡１に対して垂直の太陽光を当てる必要がある。この放物面の反射鏡１の特性に合わせるために、この反射鏡１を固定した集熱部２の周囲に回転さ
せるための回転駆動部４を設けている。
【００４３】
回転駆動部４は、モーターとギアやカムを組み合わせて軸に装着した駆動部作動板を回転し、この駆動部作動板に反射鏡１を一体化して、集熱管２と同軸に回転する様に装着している。また、回転駆動部４は、ステッピングモーターを使用して、自在の角度に設定するが可能である。
【００４４】
５、６は、太陽の光量の多少によりその出力が増減する受光量センサであり、回転駆動部４の回転軸に垂直となる面である反射鏡１の両端に設置し、それらの受光面の方向を外向きに傾斜するように構成してある。
【００４５】
本実施の形態では、回転駆動部４の回転軸に垂直となる面である反射鏡１の光軸７と平行な線に対して、受光量センサ５は角度α、受光量センサ６は角度βだけ外向きに傾斜させてある。
【００４６】
また、受光量センサ５、６の出力を比較する演算部８を設けた。演算部８は反射鏡１の光軸と太陽の方向が一致した時の受光量センサ５、６の出力値と比較してこの値が等しくなる様に回転駆動部４を回転する構成とした。
【００４７】
演算部８により回転駆動部４を回転した動作角度を記憶し、かつ時間当たりの前記動作角度を計算する記憶制御部９を設けている。この記憶制御部９はこの時間当たりの前記動作角度値により予め順次回転駆動部４を回転させながら、受光量センサ５、６の出力値が等しくなる様に回転駆動部４の回転を補正する。
【００４８】
１０は集熱部２の内部に供給される熱媒体で、代替フロン（ＨＦＣ：Ｈｙｄｒｏｇｅｎｅｒａｔｅｄ  Ｆｌｕｏｒｏ  Ｃａｒｂｏｎ）の１３４aや二酸化炭素（ＣＯ２）、あるいはアルコール類を使用している。
【００４９】
この熱媒体１０の流通が抵抗にならないように集熱部２の管外径を小さく構成して、太陽光が集熱部２に多く集中できるようにしている。管外径が小さいほど集光比（太陽光の入射面積で焦点面積を除したもの、樋型では、反射鏡の開口幅で焦点の管外径を除した値）が高くなり、集熱部２を高温にできる。
【００５０】
集熱部２の表面には、選択吸収膜を形成している（図示なし）。選択吸収膜は集熱部２の表面に黒色の黒クロムまたは無電解ニッケルのめっき処理を行うようにしている。もちろん、めっきの替わりにマンガン系の黒色塗料を塗布することもある。
【００５１】
１１は反射鏡１と集熱部２を収納した外装で、上部に透過体１２を設けた箱状に構成している。外装１１は腐食の少ないステンレスや耐候性のある樹脂材料（例えば、ポリエステル樹脂、ポリカーボネート樹脂等）で構成している。外装１１の内部には外装断熱材１３が充填してある。
【００５２】
この外装断熱材１３は耐熱性のロックウール、グラスウール等で構成しており、その表面は硬化させて、それだけで壁面を構成するかまたは板で内面を補強して構成するようにしている。
【００５３】
透過体１２は反射鏡１の上部に設けられ、太陽光を取り込み、反射鏡１の内部に雨やホコリが侵入するのを防止しており、太陽光を通過させるために透過率の大きな透明ガラスを使用している（このような透明ガラスの日射透過率は、約９０％である）。
【００５４】
この透過体１２に向かって反射鏡１を上方に広がるように湾曲構成して、太陽の高度に合わせて太陽光を多く受けられるようにしている。
【００５５】
１４は熱媒体１０の循環ポンプ、１５は熱媒体１０が流れる回路、１６は熱媒体１０の高温の熱を蓄える蓄熱槽である。
【００５６】
以上のような構成において、以下その動作、作用を説明する。
【００５７】
循環ポンプ１４を作動し、熱媒体１０を回路１５内に循環させ、集熱部２に送る。太陽光は反射鏡１の反射面３に反射して集熱部２に集中し、その温度を上昇させる。集熱部２の表面に装着した選択吸収膜により、太陽光の約９０％が集熱部２に吸収され、集熱部２の温度が上昇する。集熱部２に送られた熱媒体１０は高温の液体または蒸気（または液体や蒸気と液体が混ざったもの等）を形成して蓄熱槽１６に送られる。
【００５８】
蓄熱槽１６ではこの液体または蒸気を受けて２００℃程度の熱量を蓄積するようにしている。熱媒体１６の液体または蒸気は、蓄熱槽１６で凝縮して液体となり、循環ポンプ１４により再度、集熱部２に送られ、加熱されるようにしている。
【００５９】
この動作を太陽熱の供給が可能な間、繰り返すことにより、必要な熱量を蓄熱槽１６にためるようにしている。
【００６０】
集熱器の集熱量は、反射鏡１にはいる太陽光の量が大きく影響し、太陽の方向と反射鏡１の方向が一致した時最大となり、傾いた時は、その投影面積の比の量となる。
【００６１】
そこで、集熱部２を回転の中心として反射鏡１が回転できるように回転駆動部４により支持している。そして、回転駆動部４の回転軸に垂直となる面に複数個設けた受光量センサ５、６はその受光面の方向を変えているため、太陽の方向によりおのおのの出力値が変る。
【００６２】
このため、集熱器の方向と太陽の方向が判別でき、反射鏡１を回すことにより、集熱器を太陽に向かって正向することが可能となり、集熱量を最大とし、太陽熱集熱器の効率を向上を可能とできる。
【００６３】
すなわち、太陽光は反射鏡１により一回または複数回反射して集熱部２の表面において吸収されて熱エネルギーに変換され、熱媒体配管の熱媒体１０を加熱し、その温度を上昇させる。
【００６４】
この熱エネルギーは、反射鏡１に入る太陽光の量により増減するため、反射鏡１を常に太陽に正向させることが最大熱量をえるポイントである。
【００６５】
太陽は季節と時間によりその高度、方向が変化する。そこで、受光センサ５、６を回転軸に垂直となる面に複数個設け、かつ、受光面の方向を回転軸と角度をおのおのα、βだけ傾斜して設置してあるので、回転軸に直角となる面上で太陽の方向と反射鏡１の方向が判別できる。
【００６６】
受光量センサ５、６の出力は太陽の方向のズレに応じて変化し、太陽の方向と受光面の方向が一致したときに出力が最大となる。
【００６７】
そのため、反射鏡１の光軸に対して傾斜して設置された複数個の受光量センサ５、６の出力値の大小変化から、反射鏡１に対して太陽の方向が特定できる。
【００６８】
結果、反射鏡１を常に太陽に向ける動作が可能となり、集熱器を太陽に向かって正向できるため集熱量を最大とし、太陽熱集熱器の効率を向上を可能となる。
【００６９】
また、集光量が増加して熱媒体１０をより多く加熱することが可能となることは熱媒体１０の温度を高くしてその出口温度を上昇させることが可能となる。よって、向上した性能を利用して太陽熱集熱器のコンパクト化や簡素化を可能とでき、構成部品や制御の簡略化によりコストダウンを図ることができる。
【００７０】
演算部８は反射鏡１の光軸と太陽の方向が一致した時の受光量センサ５、６の出力値と比較してこの値が等しくなる様に回転駆動部４を回転する構成したことにより、受光量センサ５、６の出力の大小の値を比較することでき、このことにより、正確に太陽の方向が確定できる。
【００７１】
すなわち、反射鏡１の光軸に対して受光量センサ５、６は受光面の方向を傾斜構成したことにより、反射鏡１の光軸と太陽の方向が一致した時、受光量センサ５、６の受光面は太陽の方向と傾いて置かれている。そのため、受光量センサ５、６の出力はその傾きに応じた大きさとなる。
【００７２】
それによって、受光センサ５、６と太陽の位置関係が固定され、太陽と反射鏡１の位置関係が判る。この変化に応じて回転駆動部４を回転することにより、逐次反射鏡１を太陽に向かわせることが可能となる。
【００７３】
また、反射鏡１は、樋型の放物線からなる二次曲面とし、複数の受光量センサ５、６の受光面の方向はこの放物線の軸に対して等角度に広がって構成した(角度α=β)ことにより、一方向の動作で確実に反射鏡１と太陽の方向を一致できる。すなわち、反射鏡１を樋型の放物線からなる二次曲面とすることにより、太陽が放物線の軸に対して直角の方向である樋の方向に傾いて入った場合は反射鏡１を斜めに屈折しながら集熱部２に至る。
【００７４】
そのため、太陽の方向と放物線の軸を合せることにより太陽と反射鏡は正向でき、追尾機構が簡単となる。
【００７５】
さらに、受光量センサ５、６の受光面の方向はこの放物線の軸に対して等角度に広がって構成したことにより、反射鏡１と受光量センサ５、６は、太陽の方向に当間隔に位置する。受光量センサ５、６の出力は太陽の方向との傾きにより増減するから、受光量センサ５と受光量センサ６の出力が同じ時は、放物線の軸と太陽の方向が一致したときである。このように、太陽と反射鏡１の位置関係が常に判り、回転駆動部４を回転することにより、常に反射鏡１を太陽に向かわせることが可能となる。
【００７６】
また、演算部８では、回転駆動部４を回転した動作角度を記憶し、かつ時間当たりの動作角度を計算する記憶制御部９は、この時間当たりの前記動作角度値により予め順次回転駆動部４を回転させながら、受光量センサ５、６の出力値が等しくなる様に回転駆動部４の回転を補正する。
【００７７】
このことにより、太陽の方向を逐次追尾しながら、回転駆動部４の回転動力を低減できる。すなわち、一日の太陽の動きは、およそ決まった速度で動くから、太陽が動いたことによる変化を演算部８によって回転駆動部４を回転した動作角度を記憶し、時間当たりの変化から次のおよその動作量を推定して制御できる。
【００７８】
故に、受光量センサ５、６の出力値から微調整を行うだけで、確実に太陽に反射鏡１を
合せることができる。このため、回転駆動部４の回転動作が減少し、追尾動作の信頼性向上と追尾動力を低減できる。
【００７９】
また、本実施の形態では、反射鏡1、集熱部２が１個だけであるが、複数の反射鏡１を設けると共に、集熱部２は内部に熱媒体１０を流通させるために一体の集熱管を複数個の反射鏡内に連通させて配置したことにより(図示せず)、熱媒体１０がそれぞれの反射鏡１を通過しながら集中する太陽光で加熱されるので、熱媒体の温度を高温に維持しながら所定の熱量を得ることができる。
【００８０】
また、集熱部２は表面に選択透過性能を有する耐熱性、耐候性の優れた樹脂材料（例えば、ポリカーボネート等）で構成した赤外線を吸収する選択吸収膜を装着したことにより、集熱部２からの赤外線放射を防止して集熱部３の温度を高温に維持して、熱媒体１０にその熱を効率良く伝えることができ、軽量化と低コスト化を行うことができる。
【００８１】
また、外装１１は透過体１２で封口して内部に熱伝導率の小さいガス（例えば、クリプトンガス）を注入し、密封してある。このことにより、外装１１内における空気の対流熱伝達による放熱を大幅に小さくして、外装１１からの放熱を低減させ集熱効率を向上することができる。
【００８２】
そして、外装１１は、反射鏡１が開口された側に透過体１２を装着したことにより、外装１１内に雨水やホコリが堆積しないので、長期間にわたって集熱効率を良好に維持することができる。そして、高温の集熱部２を覆い安全性を高め、外装断熱材１３の劣化を防止して、長期間の使用に耐えるようにしている。
【００８３】
また、受光量センサは、本実施の形態では２個を示したが、個数は、複数であれば４個、６個と多くても良い。受光量センサの数を多くすれば、より細やかな制御と、信頼性の向上が図れる。また、受光量センサの位置も、反射鏡１の両端ではなく、受光面の角度を維持して密接して設けても同じ性能が得られ、受光量センサを一体にして取り付けが容易となり、低コスト化も実現することができる。
【産業上の利用可能性】
【００８４】
以上のように、本発明にかかる集熱器は、太陽光に対して反射鏡を常に正向させる様に追尾して、エネルギ密度の低い太陽光から熱を回収して効率よい熱交換を行って熱媒体を加熱できるので、住宅の給湯や発電のための加熱装置に適用することができる。
【図面の簡単な説明】
【００８５】
【図１】本発明の実施の形態１における太陽熱集熱器の断面図
【図２】同太陽熱集熱器の要部斜視図
【図３】従来例における太陽熱集熱器の斜視図
【図４】別の従来例における太陽光自動追尾装置の部分断面図
【符号の説明】
【００８６】
１  反射鏡
２  集熱部
４  回転駆動部
５、６  受光量センサ
８  演算部
９  記憶制御部
１０  熱媒体
【図１】
2008138899.tif 000003
【図２】
2008138899.tif 000004
【図３】
2008138899.tif 000005
【図４】
2008138899.tif 000006